(57)【要約】【課題】玄米貯留部と白米貯留部とを精米部の上下に備える精米機において、構成寸法の増加を招くことなく、精米部の回転駆動に伴う振動の拡散を抑えることができ、さらには、騒音を抑えて保冷可能な精米機に適する支持構造を提供する。【解決手段】精米機の支持構造は、玄米貯留部２、精米部３、白米貯留部４を上から順に配置してなる精米構成機器Ｕと、この精米構成機器Ｕを一体に構成支持する主枠４ｅと、この主枠４ｅを支持する支持脚１２ｂとから構成され、上記精米部３の幅寸法Ｗ内で上記主枠４ｅを上記白米貯留部４の両外側に張出して形成するとともに、この主枠４ｅを支持する左右の支持脚１２ｂを上記白米貯留部４の両外側に沿う防振材料によって構成することにより、高さ寸法を含む構成寸法の増加を招くことなく所要の防振性が可能となり、また、収容容器と一体に支持脚１２ｂを構成することにより、遮音構造、保冷構造を可能とするものである。【選択図】図１
2014124623.tif 000002
【特許請求の範囲】
【請求項１】
玄米貯留部と、その玄米を受けて精米する精米部と、その精白米を受ける白米貯留部とを上から順に配置してなる精米構成機器と、この精米構成機器を一体に構成支持する主枠と、この主枠を支持する支持脚とからなる精米機の支持構造において、
上記主枠を上記精米部の幅寸法内で上記白米貯留部の両外側に張出して形成するとともに、この主枠を支持する左右の支持脚を上記白米貯留部の両外側に沿う防振材料によって構成したことを特徴とする精米機の支持構造。
【請求項２】
防振性を有する遮音材料により密閉可能な箱状容器を構成し、この箱状容器に前記精米構成機器を収容するとともに、上記箱状容器と一体に前記支持脚を構成したことを特徴とする請求項１記載の精米機の支持構造。
【請求項３】
前記箱状容器は、防振性と遮音性とを有する断熱材料により前記箱状容器を構成するとともに冷却部を設けて保冷庫を構成したことを特徴とする請求項２記載の精米機の支持構造。
【発明の詳細な説明】
【技術分野】
【０００１】
本発明は、玄米貯留部と白米貯留部とを備える精米機の支持構造に関する。
【背景技術】
【０００２】
玄米貯留部と白米貯留部とを備える精米機は、特許文献１に記載のように、上から順に、玄米貯留部、精米部、白米糠貯留部が箱状に一体に構成され、下端に備えた支持座を介して機体が支持される（同文献図１、図２）。
【先行技術文献】
【特許文献】
【０００３】
【特許文献１】特開２００２−４５７１４号公報
【発明の概要】
【発明が解決しようとする課題】
【０００４】
しかしながら、精米運転時は、精米部の回転駆動に伴う騒音と振動が主枠から支持座を介して載置面に伝達されて周囲に不快な振動と騒音が拡散されるという問題があり、その問題を解決するべく、精米機を防振支持するには、所要の高さ寸法の防振部材を要することから、高さ寸法の増加と不安定化を招くこととなり、特に静粛化とともに小型化および安定化の強い要請を受ける家庭用精米機において大きな問題となっていた。
【０００５】
本発明の目的は、玄米貯留部と白米貯留部とを精米部の上下に備える精米機において、構成寸法の増加を招くことなく、精米部の回転駆動に伴う振動の拡散を抑えることができ、さらには、騒音を抑えて保冷可能な精米機に適する支持構造を提供することにある。
【課題を解決するための手段】
【０００６】
請求項１に係る発明は、玄米貯留部と、その玄米を受けて精米する精米部と、その精白米を受ける白米貯留部とを上から順に配置してなる精米構成機器と、この精米構成機器を一体に構成支持する主枠と、この主枠を支持する支持脚とからなる精米機の支持構造において、上記主枠を上記精米部の幅寸法内で上記白米貯留部の両外側に張出して形成するとともに、この主枠を支持する左右の支持脚を上記白米貯留部の両外側に沿う防振材料によって構成したことを特徴とする。
【０００７】
請求項２に係る発明は、請求項１に係る発明において、防振性を有する遮音材料により密閉可能な箱状容器を構成し、この箱状容器に前記精米構成機器を収容するとともに、上記箱状容器と一体に前記支持脚を構成したことを特徴とする。
【０００８】
請求項３に係る発明は、請求項２に係る発明において、前記箱状容器は、防振性と遮音性とを有する断熱材料により箱状容器構成するとともに冷却部を設けて保冷庫を構成したことを特徴とする。
【発明の効果】
【０００９】
請求項１に係る発明により、玄米貯留部と精米部と白米貯留部とからなる精米構成機器を上から順に配置して主枠によって一体に構成支持し、この主枠を精米部の幅寸法内で白米貯留部の両外側に張出して形成した上で、白米貯留部の両外側に沿う防振材料による支持脚によって支持したことから、白米貯留部の高さ範囲で自由度の高い支持脚の高さ寸法により上下支持方向の防振性を確保しつつ安定支持が可能となるので、特段の構成寸法の増加を招くことなく、精米部の作動による精米機載置面への振動伝播を抑えて不快な振動と付帯する騒音を防止することができる。
【００１０】
請求項２に係る発明により、請求項１の効果に加え、密閉可能で防振性を有する遮音材料による箱状容器と一体に支持脚を構成することにより、精米構成機器を収容支持するとともに防振支持することができることから、精米部の精米作動時の騒音拡散を抑えて静粛化を合わせて確保することができる。
【００１１】
請求項３に係る発明により、請求項２の効果に加え、防振性と遮音性を有する断熱容器に冷却部を設けた保冷庫により箱状容器を構成することにより、玄米貯留部と白米貯留部の両方の保冷構成が可能となることから、貯留した玄米とともに精米後における貯留白米の長期に及ぶ品質維持を合わせて確保することができる。
【図面の簡単な説明】
【００１２】
【図１】保冷精米機の内部構成を表した側面図
【図２】保冷精米機の内部構成を表した正面図
【図３】冷却部の要部拡大断面図
【図４】冷却循環系の透視側面図
【図５】内部ユニットの内部構成を表した要部正面図
【図６】部分破断による内部構成を表した要部正面図
【図７】内部構成を表した要部側面図
【図８】制御部の構成展開図
【図９】精米機の作動による電動駆動部の温度変化特性図
【発明を実施するための形態】
【００１３】
上記技術思想に基づいて具体的に構成された実施の形態について以下に図面を参照しつつ説明する。
本発明に係る精米機の支持構造について、特に保冷精米機に適用した例により説明する。保冷精米機の内部構成を表した側面図および正面図を図１、図２に示すように、精米機１は、開閉可能な上端開口５ａを有する玄米ホッパ２と、その玄米を受けて精米する精米部３と、その精白米を受ける白米貯留部４とからなる精米構成機器を上から順に一体に配置した内部ユニットＵを保冷庫５に収容するとともに、保冷庫５の下段背面部に循環保冷用の冷却部６を設けて構成される。
【００１４】
玄米ホッパ２は、保冷庫５の上段部を構成し、保冷庫５の上端開口５ａから受けた玄米を貯留するとともに、下方の精米部３に貯留玄米を供給可能に連通する。この連通口には、メンテナンス時に使用する玄米保持用のストッパを設け、また、精米部に対する異物進入を阻止するとともに手指を保護する保護網を設ける。
【００１５】
精米部３は、保冷庫５の中段部を構成し、搗精部３ａと電動駆動部３ｂとを前後に配置し、搗精部３ａに玄米ホッパ２から貯留玄米を受けて精米を行う。搗精部３ａの先端には、白度調節ダイヤル３ｃを備え、この白度調節ダイヤル３ｃを開閉可能な保冷庫５の前部開口５ｂに臨んで配置する。
【００１６】
白米貯留部４は、保冷庫５の下段部を構成し、上方の搗精部３ａとの間に設けた白米シュート４ａを介して精白米を受ける白米受箱４ｄをスライドガイド４ｅによってスライド可能に支持し、前部開口５ｂから引出し可能に構成する。この白米シュート４ａの側方に糠受箱４ｂを配置し、搗精部３ａから糠シュート４ｃを介して落下糠を受ける。
【００１７】
保冷庫５は、発泡樹脂材等の防振性を有する断熱材により密閉可能に構成した箱状容器であり、内部ユニットＵを防振収容するとともに、上端開口５ａと前部開口５ｂとを最小限の大きさに形成し、上端開口５ａおよび前部開口５ｂを上蓋、前扉により開閉可能に構成する。前部開口５ｂの近傍には電源ランプ７ａ等の最小限の表示部を設ける。精米操作のための操作パネル７ｂは、前部開口５ｂの内方で精米部３を仕切る内扉によって構成する。また、断熱壁材の内面に幅広の浅溝を形成して内部ユニットＵの周壁との間に循環冷却用の通路を形成する。
【００１８】
冷却部６は、中段配置の精米部３の電動駆動部３ｂの下方に配置し、その要部拡大断面図を図３に示すように、ペルチェ素子等による静止型駆動部６ａに熱交換用の庫内ファン６ｂと送出口６ｄとを設け、背面側に放熱ファン６ｃを設ける。この冷却部６は、静止型駆動部６ａにより小型軽量に構成することができ、静粛な保冷運転により、庫内ファン６ｂが庫内の下段部から吸気して熱交換し、玄米ホッパ２および庫内を冷却する。
【００１９】
（冷却循環系）
冷却循環系は、その透視側面図を図４に示すように、保冷庫５の背面部に沿って冷却部６から玄米ホッパ２の上端開口５ａに至る背面上行路１１ａと、保冷庫５の両側面部に沿って背面上行路１１ａの上端から下段部に至る左右の側面下行路１２ａ，１２ａと、保冷庫５の前面部に沿って左右の側面下行路１２ａ，１２ａと連通する前面下行路１３ａと、内部ユニットＵの両側面に形成した左右の下段開口１４ａ，１４ａとによって構成する。
【００２０】
背面上行路１１ａは、保冷庫５の背面断熱材１１の内面に形成した溝により、冷却部６の送出口６ｄから玄米ホッパ２の上端開口５ａに至る通路である。
左右の側面下行路１２ａ，１２ａは、発泡樹脂材等による保冷庫５の左右の側面断熱材１２，１２の内面に屈曲して形成した幅広の浅溝により、背面上行路１１ａの上端から内部ユニットＵの左右の下段開口１４ａ，１４ａに至る通路である。
前面下行路１３ａは、保冷庫５の前面断熱材１３の内面に形成した溝により、左右の側面下行路１２ａ，１２ａと連通する通路である。
左右の下段開口１４ａ，１４ａは、内部ユニットＵの左右の側面板１４，１４に形成し、左右の側面下行路１２ａ，１２ａの出口として、精米部３の電動駆動部３ｂより下方の庫内ファン６ｂに臨む低位置に配置する。
【００２１】
上記構成の冷却循環系により、保冷庫５の背面部の背面上行路１１ａから玄米ホッパ２の上端開口５ａに冷気が供給され、また、左右の側面部に沿って下降する側面下行路１２ａ，１２ａによって保冷庫５内が一様に冷却され、下段部に充満した冷気が冷却部６に戻されることから、中段配置の精米部３から発散される熱気は冷却部６に吸い込まれることなく滞留し、また、糠は糠受箱４ｂに連通排出される。したがって、冷却能力を限定した小型の保冷精米機により、搗精部３ａの作動に際して、玄米ホッパ２の急激な昇温や冷却部６の糠付着を抑えつつ、保冷玄米による精米が可能となる。
【００２２】
この場合において、精米部３の電動駆動部３ｂの下面から左右の側面に及ぶ下部遮蔽板２２を設けることにより、下方の冷却部６が熱遮蔽されるとともに、精米動作時の電動駆動部３ｂの発熱による熱気の拡散が抑えられる。また、中間仕切板２１により搗精部３ａの発生糠が電動駆動部３ｂ側に移動することなく安定落下することから、後部配置の冷却部６への糠の吸込みを抑えることができる。
【００２３】
（内部ユニット）
内部ユニットＵは、玄米ホッパ２、精米部３、白米貯留部４を一体に構成するとともに、その要部正面図を図５に示すように、中段の精米部３の外周部に中間仕切板２１と下部遮蔽板２２とを設ける。
中間仕切板２１は、搗精部３ａと電動駆動部３ｂとの間の位置で搗精部３ａの糠が安定落下するように内部ユニットＵの中段部を前後に仕切る。
下部遮蔽板２２は、電動駆動部３ｂの下面と両側面の三面を囲んで構成する。この下部遮蔽板２２により、搗精部３ａの精米作動に際して、電動駆動部３ｂ下方の冷却部６に作用する熱を遮断するとともに、熱気の拡散を防止する。
【００２４】
（支持脚）
内部ユニットＵの支持構造については、部分破断による内部構成を表した要部正面図および側面図を順に図６、図７に示すように、内部ユニットＵの精米部３の幅寸法Ｗ内で白米貯留部４の両外側に張出して左右の主枠４ｆ，４ｆを設ける。また、これら左右の主枠４ｆ，４ｆを支持する左右の支持脚１２ｂ，１２ｂを白米貯留部４の高さの範囲内の防振部材によりその両外側に沿って構成する。これら左右の支持脚１２ｂ，１２ｂは、発泡樹脂材等の防振性を有する断熱材を用いて左右の側面断熱材１２，１２と一体に形成することができる。
【００２５】
上記構成の支持脚１２ｂ，１２ｂは、白米貯留部４の両外側に沿ってその高さの範囲内の自由度を有する防振部材によって構成することにより、上下方向の防振性を確保することができ、この支持脚１２ｂ，１２ｂによって一体構成の精米構成機器である内部ユニットＵの主枠４ｆ，４ｆの全荷重を安定して支持することができるので、精米構成機器の安定支持を確保しつつ搗精部３ａの作動による精米機載置面への振動伝播を抑えて精米作動時の不快な振動と騒音を防止することができる。
【００２６】
また、密閉可能で防振性を有する断熱材料による箱状の断熱容器によって保冷庫５を構成し、この保冷庫５に支持脚１２ｂ，１２ｂを一体に構成して精米構成機器を収容支持することにより、玄米貯留部２と白米貯留部４の保冷性を確保しつつ、密閉による防音性を確保することができる。
【００２７】
（制御部）
冷却部６および精米部３は、制御部の構成展開図を図８に示すように、個々の制御ユニット３１，３２からなる運転制御部を備える。冷却用の制御ユニット３１は、設定温度範囲に庫内を冷却制御するとともに、前部開口５ｂの前扉およびその内方の糠扱い用の内扉７ｂの開閉監視により、精米用の制御ユニット３２の通電を制御可能に構成する。精米用の制御ユニット３２は、精米部３の運転に必要な範囲に限定して通電を受けることにより、待機状態の電力消費による発熱を抑えることができる。満杯センサ基板４１ｃは、次に述べる穀粒センサ４１の検出によって穀粒の流量を算出し、「不在」、「流下」、「充填」の判定区分に応じた搗精部３ａその他の機器の制御を行う。
【００２８】
（穀粒センサ）
内部ユニットＵの下段部には白米貯留部４から白米受箱４ｄを引出し操作可能にスライド支持し、そこに収容される白米量を検出する穀粒センサ４１を白米シュート４ａに設ける。白米シュート４ａは、前掲の図６、図７に示すように、白米貯留部４の前端部に向けて傾斜するとともに、その上半部の流路幅を次第に絞って両側のサイドガイド４２，４２を形成し、下半部は、一定の流路幅の両側のサイドガイド４３，４３に白米貯留部４の前端位置に合わせた前板４４を設けて筒状通路４５を形成する。
【００２９】
この筒状通路４５は、白米受箱４ｄの前端部の直上位置に、白米貯留部４の幅方向の中心位置に向けて正面視を傾斜して構成し、この筒状通路４５を横断する検出線を白米シュート４ａの案内面に近接して設定し、この検出線上に光学式、静電容量式等の検出子４１ａ，４１ｂを設けることにより、離散状の穀粒単位の検出を可能とする穀粒センサ４１を構成する。
【００３０】
穀粒センサ４１の検出子４１ａ，４１ｂは、サイドガイド４３，４３に形成した検出窓に臨んで配置し、この検出窓に突入する穀粒の引っ掛かりを避けるために、白米シュート４ａに沿う穀粒流線から離れる側のサイドガイド４３（図例では左側）に検出子４１ａを配置し、他側に対向用の検出子４１ｂを要する場合は、上半部のサイドガイド４２を延長して穀粒流線を離すための庇状ガイド４２ａを設ける。
【００３１】
上記構成の穀粒センサ４１は、白米受箱４ｄの直上位置にある筒状通路４５に固定配置され、搗精部３ａの作動に対応して白米シュート４ａを流下する穀粒の量を検出し、また、白米受箱４ｄが満量に達した場合は、筒状通路４５内の堆積穀粒が検出子４１ａ，４１ｂに達して充填状態を検出することから、穀粒の「不在」、「流下」、「充填」の三態様を識別することができる。「不在」または「充填」の判定により搗精部３ａを停止し、その停止の状況に応じた表示等により案内報知可能に精米用の制御ユニット３２を構成する。
【００３２】
上記構成の穀粒センサ４１により、白米受箱４ｄの満量充填時および玄米ホッパ２内の玄米の全量消費時について、単一のセンサーにより低コストで確実な精米制御が可能となる。また、固定配置の穀粒センサ４１によって白米受箱４ｄの満量充填検出が可能となることから、可動構成の白米受箱４ｄに貯留量レベルセンサを設ける場合と比較して簡易な構成によって精米制御が可能となる。
【００３３】
満量充填された白米受箱４ｄを引出す際は、白米受箱４ｄの直上位置で白米受箱４ｄの後端部まで所定距離を残して筒状通路４５を構成することにより、この筒状通路４５内に白米が堆積していても、白米受箱４ｄの引出し操作によるスライド移動に応じて堆積白米が白米受箱４ｄの後部側に次第に落下することから、筒状通路４５から白米受箱４ｄの後端部までの距離を確保することにより、筒状通路４５から落下する全穀粒を白米受箱４ｄに受けることができる。
【００３４】
（運転制御）
保冷精米機１は、冷却用の制御ユニット３１によって冷却部６を制御し、通常の保冷運転と、それより小能力の冷却抑制運転と、その逆の急冷運転とから条件に応じて運転切替制御可能に構成し、また、前部開口５ｂの内方に配置してある操作パネルを兼ねる内扉７ｂの精米スイッチ操作により搗精部３ａが作動し、条件に応じて精米停止制御可能に構成する。
【００３５】
冷却部６の保冷運転は、庫内を所定の温度範囲に維持するように冷却用の制御ユニット３１により冷却部６を制御する。この冷却制御により、冷却部６が内部ユニットＵの下段部から吸気して熱交換し、この冷気は背面上行路１１ａによって玄米ホッパ２の上端開口５ａに供給されて貯留玄米を冷却し、次いで左右の側面下行路１２ａ，１２ａおよび前面下行路１３ａから下段位置に至る間で庫内全体を一様に冷却し、内部ユニットＵの左右の下段開口１４ａ，１４ａから同じく下段配置の冷却部６を経て循環冷却を行う。
【００３６】
上記冷却運転により、上段配置の玄米ホッパ２の貯留玄米および下段配置の白米貯留部４の貯留白米は循環冷気を受けてそれぞれ所定温度に保冷されるとともに、中段配置の搗精部３ａは、下段配置の冷却部６に向かう循環冷気の経路の外に位置することから、過度の冷却による結露に伴う電動駆動部３ｂの劣化が抑えられる。
【００３７】
冷却抑制運転は、冷却部６の停止を含む小能力の循環冷却を行う。前部開口５ｂの開放の間についてドアスイッチにより冷却抑制運転に切替え制御することにより、前部開口５ｂの開放の際の外気の取込みが抑えられることから、冷却部６の凍結や電動駆動部３ｂの結露を低減することができる。また、搗精部３ａの作動の間について切替え制御することにより、排出糠と熱気の庫内拡散を抑えることができる。
【００３８】
急冷運転は、許容範囲内の最大能力の循環冷却を行う。搗精部３ａの作動終了時から所定時間の範囲について急冷運転に切替え制御することにより、搗精部３ａおよび電動駆動部３ｂの発熱分に対して早期に対処することができる。必要により冷却部６の凍結検出による運転調節を行う。
【００３９】
搗精部３ａの運転制御は、冷却用の制御ユニット３１による前部開口５ｂの扉開放検出を条件に精米用の制御ユニット３２に給電することにより開始される。この精米用の制御ユニット３２は、操作パネル７ｂの精米スイッチ操作により、前部開口５ｂ、穀粒センサ４１、内扉７ｂその他の関連機器が一定条件を満たす範囲で搗精部３ａを作動制御する。
【００４０】
この場合において、タイマーの設定操作により作動時間を調節制御可能に構成することにより、精白度によって左右される精米量について、タイマー設定による適宜の調節が可能となる。また、搗精部３ａの作動の際の電動駆動部３ｂの温度上昇による異臭発散や機器劣化の問題を回避するために、精米用の制御ユニット３２により、所定の許容上限温度の範囲で連続作動が可能な限度時間を算出し、この限度時間の範囲内で搗精部３ａを作動制御可能に構成する。
【００４１】
連続作動が可能な限度時間は、搗精部３ａの作動による電動駆動部３ｂの温度変化特性図を図９に示すように、搗精部３ａの作動により発熱する電動駆動部３ｂの温度変化に基づき、庫内温度センサーによる当初の庫内温度と運転履歴とにより電動駆動部３ｂの現在温度を算出し、この現在温度からの搗精部３ａの作動により許容上限温度Ｔ０に達するまでの時間として算出することができる。
【００４２】
このようにして、搗精部３ａは、庫内温度と運転履歴とにより得られる限度時間内の運転により、電動駆動部３ｂについて昇温限度の範囲内の精米運転が可能となる。したがって、電動駆動部３ｂに温度センサーを組込んだ高コストの構成を要することなく、電動駆動部３ｂの過熱による弊害、例えば、モータ寿命の低下やコイル異臭の発散付着の問題を回避することができるので、低コストの家庭用保冷精米機により、安定して保冷玄米の精米が可能となる。
【００４３】
（自動補充精米）
また、白米貯留部４における白米受箱４ｄの装着検出および前部開口５ｂの閉鎖検出を可能に構成し、白米受箱４ｄの装着を条件に前部開口５ｂの閉鎖とともに穀粒センサ４１を介して白米受箱４ｄが満量になる範囲で搗精部３ａを作動させる自動補充精米制御を構成することにより、保冷精米機による保冷環境を生かして品質の劣化を招くことなく、高品質の白米を自動的に準備することができる。なお、玄米ホッパ２内の玄米の全量消費時は、搗精部３ａの作動にかかわらず穀粒センサ４１が穀粒を検出しない「不在」の検出に基づいて搗精部３ａを停止するとともに、玄米ホッパ２内の玄米の全量消費を報知するべく、制御処理を構成する。
【符号の説明】
【００４４】
１      保冷精米機
２      玄米ホッパ（玄米貯留部）
３      精米部
４      白米貯留部
４ｆ    主枠
５      保冷庫（箱状容器）
６      冷却部
１２ｂ  支持脚
Ｗ      幅寸法
Ｕ      内部ユニット（精米構成機器）
【図１】
2014124623.tif 000003
【図２】
2014124623.tif 000004
【図３】
2014124623.tif 000005
【図４】
2014124623.tif 000006
【図５】
2014124623.tif 000007
【図６】
2014124623.tif 000008
【図７】
2014124623.tif 000009
【図８】
2014124623.tif 000010
【図９】
2014124623.tif 000011